(57)【要約】【課題】  製品の個数管理と共に使用者の業務管理を行う。【解決手段】  スタンプ部材２による押印回数を計数し押印回数データを生成するカウンタ５１と、使用者の使用者識別データを記憶するメモリ５２と、カウンタ５１が計数した押印回数データが所定値になったかを判定する制御部５７と、押印回数データが所定値になったとき、使用者に対して告知する表示部２６，警告部５６とを備える。メモリ５２に使用者ＩＤを記憶させることで、使用者ＩＤ毎の製品の個数管理と共に使用者の業務管理を行うことができる。【選択図】  図２
2005193517.tif 000002
【特許請求の範囲】
【請求項１】
所定情報を製品に対して押印するスタンプ部材と、
上記スタンプ部材による押印回数を計数し押印回数データを生成するカウンタと、
使用者の使用者識別データを記憶するメモリと、
上記カウンタが計数した押印回数データが所定値になったかを判定する判定手段と、
上記押印回数データが所定値になったとき、使用者に対して告知する告知手段とを備えるスタンプ装置。
【請求項２】
更に、メモリに記憶されたデータを外部機器に出力する出力部を備え、
上記メモリは、上記使用者識別データに関連づけて上記カウンタが計数した押印回数の累計データを記憶し、上記出力部は、上記使用者識別データに関連づけられた全押印回数データを上記外部機器に対して出力することを特徴とする請求項１記載のスタンプ装置。
【請求項３】
上記メモリは、上記使用者識別データに関連づけて上記カウンタが計数した押印回数の累計データを記憶すると共に、着脱可能であることを特徴とする請求項１記載のスタンプ装置。
【発明の詳細な説明】
【技術分野】
【０００１】
本発明は、製品の個数管理と共に使用者の業務管理を行うことのできるスタンプ装置に関する。
【背景技術】
【０００２】
製品を出荷する際、出荷する製品の梱包等には、検査日時、保証期限、賞味期限、製品番号、シリアルナンバ等の製品管理情報がスタンプ装置により押印される。この押印作業の中では、押印回数を計数することによって製品の出荷数を管理することが行われている。このような製品の個数管理を行うことができるスタンプ装置としては、下記特許文献１に示すようなものがある。この特許文献１のスタンプ装置は、押印回数を計数し、その押印回数が表示部にディジタル表示される。
【０００３】
ところで、製品を出荷するにあたっては、作業者の検査数を管理する必要が生じることがある。また、出荷された製品について問題等が発生した場合には、その検査が行われた日時、検査者等を特定する必要が生じることがある。
【０００４】
【特許文献１】特開平９−８６０２４号公報
【発明の開示】
【発明が解決しようとする課題】
【０００５】
本発明は、以上のような背景技術に鑑みたものであり、その目的は、製品の個数管理と共に使用者の業務管理を行うことのできるスタンプ装置を提供することにある。
【課題を解決するための手段】
【０００６】
本発明に係るスタンプ装置は、所定情報を製品に対して押印するスタンプ部材と、スタンプ部材による押印回数を計数し押印回数データを生成するカウンタと、使用者の使用者識別データを記憶するメモリと、カウンタが計数した押印回数データが所定値になったかを判定する判定手段と、押印回数データが所定値になったとき、使用者に対して告知する告知手段とを備える。
【０００７】
このスタンプ装置は、更に、メモリに記憶されたデータを外部機器に出力する出力部を備えていてもよい。この場合、メモリは、使用者識別データに関連づけてカウンタが計数した押印回数の累計データを記憶し、出力部は、使用者識別データに関連づけられた全押印回数データを外部機器に対して出力する。
【０００８】
また、メモリは、使用者識別データに関連づけてカウンタが計数した押印回数の累計データを記憶すると共に、着脱可能としてもよい。
【発明の効果】
【０００９】
本発明によれば、カウンタが計数した押印回数データが所定値になったかを判定し、押印回数データが所定値になったとき、使用者に対して告知することから、製品の個数管理を容易に行うことができる。これと共に、メモリに使用者の使用者識別データを保存し、使用者識別データに関連づけて押印回数データや累積押印回数データを保存することで、使用者識別データに関連づけられた押印回数データや累積押印回数データを使用者の業務管理に使用することができる。
【発明を実施するための最良の形態】
【００１０】
以下、本発明を適用したスタンプ装置について図面を参照して説明する。
【００１１】
図１に示すように、本発明を適用したスタンプ装置１は、印字をするためのスタンプ部材２と、このスタンプ部材２が取り付けられるケース本体３と、このケース本体３に取り付けられるグリップ部材４とを備える。
【００１２】
スタンプ部材２は、図２に示すように、下側に、略矩形の取付凹部１１が設けられ、この取付凹部１１には、インクを吸蔵するインク吸蔵体１２と印字体となるスタンプ板１３とが取り付けられている。取付凹部１１には、その主面に対して略垂直となるように軸部１４が設けられている。スタンプ板１３は、取付凹部１１の開口端部１３ａと面一となる位置に取り付けられ、このスタンプ板１３の内側にインク吸蔵体１２が配設される。スタンプ板１３には、検査日時、保証期限、賞味期限、製品番号、シリアルナンバ等の製品管理情報が刻設されている。
【００１３】
このスタンプ部材２が取り付けられるケース本体３は、図２に示すように、インク吸蔵体１２とスタンプ板１３が取り付けられた取付凹部１１が移動可能に収納される収納凹部１５とこの収納凹部１５に連続して筒状部１６が設けられている。収納凹部１５の主面部１５ａには、スタンプ部材２の軸部１４が挿通される貫通孔１７が設けられている。スタンプ部材２は、軸部１４を貫通孔１７より筒状部１６内に臨ませ収納凹部１５内にインク吸蔵体１２とスタンプ板１３が取り付けられた取付凹部１１を収納するようにしてケース本体３に取り付けられる。この収納凹部１５は、収納する取付凹部１１より深く形成され、側壁１５ｂは、取付凹部１１の移動ガイド部として機能する。
【００１４】
収納凹部１５の主面部１５ａに形成された貫通孔１７より筒状部１６内に臨まされたスタンプ部材２の軸部１４には、コイルバネ等の弾性部材１８が取り付けられ、更に、この軸部１４の先端には、キャップ１９が取り付けられる。このキャップ１９は、一方の側の端部が弾性部材１８の一端が突き当てられる係止部材となると共に、他方の側の頂面が後述する検出素子の押圧部により押圧される被押圧部１９ａとなる。弾性部材１８は、収納凹部１５の主面部１５ａとキャップ１９との間に配設されることによって、スタンプ部材２を、図２中矢印Ｄ方向に付勢する。すなわち、スタンプ部材２のスタンプ板１３は、弾性部材１８の弾性力によって、収納凹部１５の端部より内方に引っ込んだ状態となっている。
【００１５】
ケース本体３の筒状部１６には、ユーザにより把持されるグリップ部材４が取り付けられる。このグリップ部材４は、筒状部１６に挿入できるように一端側に開口部２１が形成されていると共に、側壁２２の内側に内壁２３が形成され、側壁２２と内壁２３との間にガイド溝２４が形成されている。
【００１６】
グリップ部材４の天板部２５には、液晶表示パネル等の表示部２６を取り付けるための表示用開口部２７が形成されている。また、グリップ部材４内には、天板部２５と平行に仕切板２８が形成され、天板部２５と仕切板２８との間の空間部には、表示部２６を構成する液晶表示パネル等が実装されるプリント配線基板２９が配設される。表示部２６は、例えば押印回数を表示するものであり、プリント配線基板２９が天板部２５と仕切板２８との間の空間部に取り付けられると、表示用開口部２７より外部に臨まされる。また、このプリント配線基板２９には、全体を制御する制御回路が組み込まれている他、出荷する製品の検査等を行う使用者の識別データ等を記憶するためのメモリ素子、パーソナルコンピュータ等の外部機器と通信を行うためのコネクタ３１、カウンタのリセットボタン３３等が実装されている。コネクタ３１は、側壁２２に形成された開口部３２より外部に臨まされ、また、リセットボタン３３も図示しないが側壁２２に形成された開口部より外部に臨まされている。
【００１７】
以上のようなグリップ部材４は、ケース本体３の筒状部１６を側壁２２と内壁２３とで形成されたガイド溝２４に挿入することによってケース本体３に対して移動可能に取り付けられる。
【００１８】
ところで、このグリップ部材４の仕切板２８には、開口部２１側に、スタンプ部材２が印字したことを検出する検出部３４が設けられている。この検出部３４は、図３に示すように、仕切板２８に設けられるスリーブ３５を有し、このスリーブ３５内には、押圧力を仕切板２８で受けるように、押圧型のスイッチ素子等で構成された検出素子３６が設けられている。この検出素子３６は、押圧されたとき、押印検出信号を発生し、発生した押印検出信号をプリント配線基板２９に組み込まれた制御回路に出力する。
【００１９】
このスリーブ３５には、検出ピン３７が取り付けられている。この検出ピン３７は、一端に、スタンプ部材２の軸部１４に取り付けられたキャップ１９の頂面である被押圧部１９ａを押圧するスタンプ押圧部３８が設けられ、他端に検出素子３６を押圧する検出素子押圧部３９が設けられている。スリーブ３５内には、検出ピン３７が検出素子３６と検出素子押圧部３９とを対向させると共に、仕切板２８と平行な底面部４０に形成された貫通孔４１よりスタンプ押圧部３８とフランジ部４３との間の領域を挿通させるように取り付けられている。
【００２０】
スリーブ３５内には、コイルバネ等で構成された弾性体４２が取り付けられている。検出ピン３７のスタンプ押圧部３８側には、フランジ部４３が設けられ、また、スリーブ３５の内面の検出素子３６側には、係止片４４が形成され、弾性体４２は、検出ピン３７のフランジ部４３とスリーブ３５の係止片４４との間に取り付けられ、検出ピン３７の他端の検出素子押圧部３９を検出素子３６から離間する図３中反矢印Ｄ方向に付勢している。検出ピン３７のフランジ部４３は、弾性体４２の弾性力によりスリーブ３５の底面部４０に突き当たり、ストッパとして機能すると共に、外周面をスリーブ３５の内面に摺接させるようにすることで、ガイド部として機能する。
【００２１】
以上のように構成されたスタンプ装置１の非使用時の状態について説明すると、図２に示すように、スタンプ部材２は、収納凹部１５の主面部１５ａとキャップ１９との間に配設された弾性部材１８の弾性力によってケース本体３に対して図２中矢印Ｄ方向に移動しており、スタンプ板１３は、弾性部材１８の弾性力によって、収納凹部１５の端部より内方に引っ込んでおり、押印不能な状態となっている。このとき、検出部３４の検出ピン３７は、検出ピン３７のフランジ部４３とスリーブ３５の係止片４４との間の弾性体４２の弾性力によりスタンプ押圧部３８が図２中反矢印Ｄ方向に突出し、検出素子押圧部３９が検出素子３６から離間した状態となっている。
【００２２】
そして、出荷する製品の検査等を行う使用者によってグリップ部材４が図２中反矢印Ｄ方向に押されると、ケース本体３の筒状部１６がガイド溝２４に挿入されガイドされるグリップ部材４が同方向に移動する。すると、検出部３４の検出ピン３７のスタンプ押圧部３８は、スタンプ部材２の軸部１４に取り付けられたキャップ１９の被押圧部１９ａに押圧される。すると、検出ピン３７は、検出ピン３７のフランジ部４３とスリーブ３５の係止片４４との間の弾性体４２の弾性力に抗して図２中矢印Ｄ方向に移動し、検出ピン３７の検出素子押圧部３９は、検出素子３６を押圧し、検出素子３６は、押印検出信号を発生する。この押圧力は、グリップ部材４の仕切板２８が受けており、グリップ部材４が更にケース本体３に対して図２中反矢印Ｄ方向に移動すると、検出ピン３７は、スタンプ押圧部３８でスタンプ部材２の軸部１４に取り付けられたキャップ１９の被押圧部１９ａを押圧する。すると、収納凹部１５の主面部１５ａとキャップ１９との間に配設された弾性部材１８は、収縮し、スタンプ部材２は、グリップ部材４に押されるようにして図２中反矢印Ｄ方向に移動する。かくして、図４に示すように、スタンプ板１３は、インク吸蔵体１２とスタンプ板１３が取り付けられた取付凹部１１が収納凹部１５内を図２中反矢印Ｄ方向に移動し、印字面が収納凹部１５より僅かに露出する。これにより、インク吸蔵体１２に吸蔵されているインクがスタンプ板１３から滲み出し、インクが紙等の対象物に転写されることになる。
【００２３】
使用者が手をグリップ部材４より離すと押圧力は解除され、スタンプ部材２は、収納凹部１５の主面部１５ａとキャップ１９との間に配設された弾性部材１８の弾性力によってケース本体３に対して図２中矢印Ｄ方向に移動し、スタンプ板１３は、弾性部材１８の弾性力によって、収納凹部１５の端部より内方に引っ込んだ状態に戻る。また、検出部３４の検出ピン３７は、検出ピン３７のフランジ部４３とスリーブ３５の係止片４４との間の弾性体４２の弾性力によりスタンプ押圧部３８が図２中反矢印Ｄ方向に突出し、検出素子押圧部３９が検出素子３６から離間した状態に戻る。
【００２４】
以上のように、本発明を適用したスタンプ装置１は、グリップ部材４が使用者によって押されることによって、グリップ部材４がケース本体３に対して図２中反矢印Ｄ方向に移動すると共に、スタンプ部材２がケース本体３に対して同方向に移動することによって、スタンプ板１３がケース本体３の収納凹部１５より僅かに突出し紙等の対象物に製品管理情報が押印される。そして、このスタンプ装置１では、一連の押印動作の中で、上述のように検出部３４の検出素子３６が検出ピン３７の検出素子押圧部３９によって１回押圧され、これによって、押印回数を計数することができる。
【００２５】
上述のように、グリップ部材４に配設されるプリント配線基板２９には、図５に示すような全体を制御する制御回路が組み込まれている。この制御回路５０は、検出部３４の検出素子３６からの出力、すなわち押印検出信号を計数するカウンタ５１、出荷する製品の検査等を行う使用者の識別データ等を記憶するメモリ５２、リセットボタン３３等を有しており各種操作信号を発生する操作部５３、外部機器５５と通信するための入出力インタフェース（以下単に入出力Ｉ／Ｆともいう。）５４、出荷する製品の検査等を行う使用者に対して警告音を放音することで警告をする警告部５６、全体の動作を制御する制御部５７等を備える。検出素子３６は、検出ピン３７の検出素子押圧部３９により押圧されたとき、押印検出信号を発生し、カウンタ５１は、検出素子３６が発生した押印検出信号を検出し計数する。
【００２６】
メモリ５２は、図６に示すように、使用者の識別データとなる使用者ＩＤデータと、使用者ＩＤ毎の押印回数データと、使用者ＩＤ毎の累積押印回数データとを記憶する。使用者ＩＤデータは、スタンプ装置１を使用する使用者、すなわち出荷する製品の検査等を行う者毎に割り振られる識別データである。メモリ５２は、一人分だけ記憶しても、更に複数人分記憶していてもよい。押印回数データは、カウンタ５１が計数したリセットされてからの検出素子３６が検出ピン３７の検出素子押圧部３９により押圧された回数、すなわち押印回数であり、押印がされる度に１ずつ加算される。この押印回数データは、使用者が自らが押印した回数、すなわち検査した製品の個数を知るために利用することができる。累積押印データは、その使用者が押印した回数を、リセットに関係なく累積するデータであり、押印がされる度に１ずつ加算される。この累積押印データは、管理者が使用者毎の作業量を知るために利用することができる。
【００２７】
また、メモリ５２には、予め所定の押印回数データを記憶することができる。メモリ５２に所定の押印回数データを記憶させることで、押印回数が所定回数に達したとき、表示部２６に押印回数が所定回数に達したことを知らせる告知をすることができ、また、警告部５６で警告音を放音し使用者に告知することができる。
【００２８】
操作部５３は、上述したリセットボタン３３の他、所定の押印回数データを設定するための設定ボタン等で構成されている。操作部５３は、使用者によって操作されると、操作信号を発生する。
【００２９】
入出力Ｉ／Ｆ５４は、パーソナルコンピュータ等の外部機器５５と有線でデータ通信を行う。具体的に、入出力Ｉ／Ｆ５４は、ＵＳＢ（Universal Serial Bus）、ＲＳ（Recommended Standard）２３２Ｃ、ＩＥＥＥ（Institute of Electrical and Electronic Engineers）１３９４等の規格に基づいてデータ通信を外部機器５５との間で行う。例えば、入出力Ｉ／Ｆ５４を介して、メモリ５２に、使用者ＩＤを記憶させることができ、また、外部機器５５にメモリ５２に記憶された使用者ＩＤに関連づけられた押印回数データや累積押印回数データを出力することができる。なお、入出力Ｉ／Ｆ５４は、外部機器５５との通信をＩＥＥＥ８０２．１１ａ、８０２．１１ｂ、８０２．１１ｇ、ブルートゥース等を用いて無線で行うようにしてもよい。
【００３０】
制御部５７は、カウンタ５１が計数した押印回数をメモリ５２に記憶する。具体的に、制御部５７は、カウンタ５１からの入力に基づいて、メモリ５２の所定のユーザＩＤの押印回数データと累積押印回数データを更新する。また、制御部５７は、メモリ５２の押印回数データに基づいて現在の押印回数を表示部２６に表示する。
【００３１】
また、制御部５７は、予め押印回数が設定されているとき、カウンタ５１が計数した押印回数データがメモリ５２に設定された所定回数データに達したかどうかを判断し、所定回数データに達したとき、表示部２６又は警告部５６で使用者に対して行う。制御部５７は、所定回数データがメモリ５２に設定されているとき、表示部２６で押印回数を１ずつ加算する表示を行う。また、制御部５７は、使用者の設定に応じて、所定回数から１ずつ減算する表示を表示部２６で行う。
【００３２】
その他、制御部５７は、リセットボタン３３が押されたとき、メモリ５２に記憶されている押印回数データを０にリセットし、また、所定回数データが設定されたとき、設定された所定回数データをメモリ５２に記憶する。また、制御部５７は、使用者の操作に応じて、外部機器５５より入出力Ｉ／Ｆ５４を介して入力された使用者ＩＤをメモリ５２に記憶し、また、使用者ＩＤに関連づけて押印回数データや累積押印回数データを入出力Ｉ／Ｆ５４を介して外部機器５５に出力する。
【００３３】
以上のようなスタンプ装置１では、表示部２６にカウンタ５１が計数した押印回数が表示されることから、例えば使用者が製品の検査数や出荷数を容易に管理することができる。また、所定回数を設定しておき、押印回数が所定回数に達すると使用者に警告がされることから、使用者は容易に所定回数押印を行ったことができる。メモリ５２に所定回数が設定されているときには、表示部２６で、使用者の好みに応じて、押印回数を１ずつ加算する表示又は所定回数から１ずつ減算する表示を行うことができ、スタンプ装置１の使い勝手をよくすることができる。
【００３４】
このスタンプ装置１は、入出力Ｉ／Ｆ５４を介して使用者ＩＤを設定することができると共に、使用者ＩＤに関連づけて押印回数データや累積押印回数データを外部機器５５に出力することができる。累積押印回数データは、外部機器５５に入出力Ｉ／Ｆ５４より外部機器５５に出力される。累積押印回数データは、使用者ＩＤが付与された使用者の作業量を示す値ともなることから、使用者の管理者は、外部機器５５に読み出した累積押印回数データを参照することによって、使用者の業務管理も行うことができる。
【００３５】
次に、本発明を適用したスタンプ装置の他の例について説明する。図７に示すように、このスタンプ装置６０は、上記メモリ５２を着脱可能にしたことを特徴とする。すなわち、このメモリ５２は、スタンプ装置６０に対して着脱可能なメモリカード６１に内蔵されている。スタンプ装置６０のグリップ部材４には、メモリカード６１の挿脱口６２が設けられていると共に、挿脱口６２に連続してメモリカード６１の装着部６３が設けられている。このスタンプ装置６０では、メモリカード６１のメモリ５２に、上述した使用者ＩＤ、押印回数データ、累積押印回数データ等が記憶される。このメモリカード６１は、パーソナルコンピュータ等の外部機器５５に対しても着脱可能であり、外部機器５５に装着することによって、メモリ５２に使用者ＩＤを記憶させたり、メモリ５２に記憶された使用者ＩＤに関連づけられた押印回数データや累積押印回数データを読み出すことができる。そして、使用者の管理者は、外部機器５５に読み出した累積押印回数データを参照することによって、使用者の業務管理を行うことができる。
【００３６】
更に、本発明を適用したスタンプ装置の他の例について図８を参照して説明する。このスタンプ装置７０は、スタンプ部７１とカウンタ部７２とが分離可能であることを特徴とする。スタンプ部７１は、上記スタンプ装置１とほぼ同様な構成であるが、検出部３４が設けられているのみで、表示部２６や図５の制御回路は設けられていない。グリップ部材４には、側壁２２に、カウンタ部７２が装着される装着部７３が設けられている。この装着部７３には、カウンタ部７２と検出部３４が検出した押印検出信号等のデータ通信を行うための端子部７４が設けられている。また、装着部７３には、カウンタ部７２を取り付けるための一対のガイド片７５が形成されている。ガイド片７５は、断面が略Ｌ字状に形成されており、カウンタ部７２に形成されたガイド溝に係合される。
【００３７】
この装着部７３に装着されるカウンタ部７２は、筐体７６に、表示部７７、操作部７８が設けられていると共に、相対する側面に、装着部７３のガイド片７５が係合するガイド溝７９や端子部７４に電気的に接続される電気接続部８０が形成されている。カウンタ部７２の表示部７７は、上述したスタンプ装置１の表示部２６に代わるものであり、操作部７８は、操作部５３に代わるものである。また、カウンタ部７２内には、上記図５に示したメモリ５２等を含む制御回路が設けられている。
【００３８】
カウンタ部７２では、スタンプ部７１の検出素子３６が検出した押印検出信号をカウンタ５１が検出し、制御部５７がメモリ５２の押印回数データに基づいて現在の押印回数を表示部７７に表示する。また、メモリ５２に予め所定の押印回数が設定されているとき、表示部７７で押印回数を１ずつ加算する表示を行い、又は、所定回数から１ずつ減算する表示を行う。また、カウンタ部７２は、入出力Ｉ／Ｆ５４となるコネクタ８１が設けられており、外部機器とデータ通信を行うことができる。具体的に、外部機器５５に装着することによって、メモリ５２に使用者ＩＤを記憶させたり、メモリ５２に記憶された使用者ＩＤに関連づけられた押印回数データや累積押印回数データを読み出すことができる。そして、使用者の管理者は、外部機器５５に読み出した累積押印回数データを参照することによって、使用者の業務管理を行うことができる。
【図面の簡単な説明】
【００３９】
【図１】本発明に係るスタンプ装置を示す斜視図である。
【図２】上記スタンプ装置の断面図である。
【図３】上記スタンプ装置を構成する検出部を示す断面図である。
【図４】上記スタンプ装置が押印している状態を示す断面図である。
【図５】上記スタンプ装置の制御回路を示すブロック図である。
【図６】メモリに記憶されるデータを説明する図である。
【図７】メモリが着脱可能とされたスタンプ装置を示す斜視図である。
【図８】スタンプ部とカウンタ部とが分離されたスタンプ装置の例を示す斜視図である。
【符号の説明】
【００４０】
１  スタンプ装置、２  スタンプ部材、３  ケース本体、４  グリップ部材、１１  取付凹部、１２  インク吸収体、１３  スタンプ板、１４  軸部、１５  収納凹部、１６  筒状部、１７  貫通孔、１８  弾性部材、１９  キャップ、２１  開口部、２２  側壁、２３  内壁、２４  ガイド溝、２５  天板部、２６  表示部、２７  表示用開口部、２８  仕切板、２９  プリント配線基板、３１  コネクタ、３４  検出部、３５  スリーブ、３６  検出素子、３７  検出ピン、３８  スタンプ押圧部、３９  検出素子押圧部、４１  貫通孔、４２  弾性体、４３  フランジ部、４４  係止片、５０  制御回路
【図１】
2005193517.tif 000003
【図２】
2005193517.tif 000004
【図３】
2005193517.tif 000005
【図４】
2005193517.tif 000006
【図５】
2005193517.tif 000007
【図６】
2005193517.tif 000008
【図７】
2005193517.tif 000009
【図８】
2005193517.tif 000010